(57)【要約】【課題】仕切部に配設される枠部の下枠の撓みを抑制することができる浴室ユニットを提供する。【解決手段】浴室ユニットは、湯を溜める浴槽１と、開閉可能な扉４０および扉４０を嵌める枠部を有し、浴槽１と浴槽１に隣接する浴槽前床とを仕切る仕切部と、を備える。枠部の下枠４４は、浴槽１側の一端部が浴槽１の上縁部１０によって支持されており、浴槽前床側の他端部が、上縁部１０の浴槽前床側に設けられた支持部材であるアングル部材８２によって支持されている。【選択図】図４
2019143414.tif 000002
【特許請求の範囲】
【請求項１】
湯を溜める浴槽と、
開閉可能な扉および前記扉を嵌める枠部を有し、前記浴槽と前記浴槽に隣接する浴槽前床とを仕切る仕切部と、を備える浴室ユニットにおいて、
前記枠部の下枠は、前記浴槽側の一端部が前記浴槽の上縁部によって支持されており、前記浴槽前床側の他端部が、前記上縁部の前記浴槽前床側に設けられた支持部材によって支持されていることを特徴とする浴室ユニット。
【請求項２】
前記上縁部は、前記浴槽前床側の外縁部分において前記下枠の前記一端部を支持しており、内縁部分から前記一端部に亘る上面が露出していることを特徴とする請求項１に記載の浴室ユニット。
【請求項３】
前記支持部材は、前記浴槽を載せ置く架台に固定されていることを特徴とする請求項１または２に記載の浴室ユニット。
【請求項４】
前記支持部材は、前記浴槽を載せ置く架台と独立して設けられていることを特徴とする請求項１または２に記載の浴室ユニット。
【発明の詳細な説明】
【技術分野】
【０００１】
本発明は、浴室ユニットに関する。
【背景技術】
【０００２】
浴室ユニットは、湯を溜める浴槽と、浴槽に隣接して配設された浴槽前床を有する。浴室ユニットは、周囲を壁パネル、上方を天井パネルで覆われている。浴室ユニット内の空間には、浴槽のほか、洗面器やトイレが設けられることもあり、ユーザがより快適に浴室ユニットを利用するための工夫がなされている。
【０００３】
例えば、特許文献１には、浴槽と浴槽前床とを仕切る仕切部としてサッシを設けた浴室ユニットが開示されている。サッシは、枠部と、枠部にスライド可能に支持された障子とからなる。サッシは、浴槽の上縁部、補強部材を介して壁面、および上部化粧カバーを介して天井面に接触して支持されている。補強部材は、壁面に接着した後にねじ止め固定されており、補強部材にサッシの枠部における縦枠がねじ止め固定される。
【先行技術文献】
【特許文献】
【０００４】
【特許文献１】特開２００９−１４４４３３号公報
【発明の概要】
【発明が解決しようとする課題】
【０００５】
特許文献１に記載の浴室ユニットは、障子を嵌める枠部の下枠が浴槽の上縁部に接触しているものの、上縁部の形状や広さによっては下枠を十分に支持できず、下枠に撓み等の変形が生じる可能性があった。下枠に変形が生じると、例えば下枠と障子との間に配設されているパッキン等の漏水防止箇所に隙間が生じて、浴槽側から浴槽前床側へ水が流出する懸念がある。
【０００６】
本発明は、斯かる事情に鑑みてなされたものであり、その目的とするところは、仕切部に配設される枠部の下枠の撓みを抑制することができる浴室ユニットを提供することにある。
【課題を解決するための手段】
【０００７】
本発明に係る浴室ユニットは、湯を溜める浴槽と、開閉可能な扉および前記扉を嵌める枠部を有し、前記浴槽と前記浴槽に隣接する浴槽前床とを仕切る仕切部と、を備える浴室ユニットにおいて、前記枠部の下枠は、前記浴槽側の一端部が前記浴槽の上縁部によって支持されており、前記浴槽前床側の他端部が、前記上縁部の前記浴槽前床側に設けられた支持部材によって支持されていることを特徴とする。
【発明の効果】
【０００８】
本発明によれば、浴室ユニットは、仕切部に配設される枠部の下枠の撓みを抑制することができる。
【図面の簡単な説明】
【０００９】
【図１】実施形態に係る浴室ユニットの外観を示す斜視図である。
【図２】浴室ユニットの上面断面図である。
【図３】浴室ユニットの縦断面図である。
【図４】扉の中央部における縦断面図である。
【図５】下枠部分における機能を説明するための模式図である。
【図６】変形例に係る浴室ユニットの下枠部分における縦断面図である。
【発明を実施するための形態】
【００１０】
以下、本発明を好適な実施の形態をもとに図１から図６を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
（実施形態）
図１は実施形態に係る浴室ユニット１００の外観を示す斜視図であり、図２は浴室ユニット１００の上面断面図である。浴室ユニット１００は、浴槽１、シャワー装置２１、給水装置２２、仕切部４、浴槽前床５０および壁部６０等を有する。浴槽１は、平面視矩形状をなし、湯を溜めることができる深皿状である。浴槽１は、上縁部１０に配設された壁部６０および仕切部４によって周囲が覆われ、上方を天井パネル６１によって覆われている。壁部６０は、浴槽１の周囲において、浴槽１の長手方向に沿う一側に配設された壁部６０ａ、浴槽１の長手方向の両端部であって壁部６０ａの両側に配設される壁部６０ｂおよび６０ｃで構成されている。
【００１２】
浴槽１は、底部１１に排水栓１２、および内側面等にオーバーフロー栓（図示略）を有し、排水栓１２を閉状態にして浴槽１に湯を溜めることができ、排水栓１２を開状態にして浴槽１から湯を抜く。浴槽１の長手方向の一端側における壁部６０ｂには、シャワー装置２１および給水装置２２が配設されている。ユーザは、浴槽１内において、シャワー装置２１からの湯水を浴び、給水装置２２によって浴槽１に湯を溜めて入浴する。尚、浴槽１は、後述するように下側に漏水防止のための浴槽パンが設けられており、床上に設置された架台に載せ置かれる。図１において、浴槽パンおよび架台は省略されている。
【００１３】
浴槽前床５０は、ユーザが脱衣や着衣等を行ったり、衣類を乾かしたりするための空間を提供する。浴槽前床５０には洗面器やトイレ設備などを配置しても良い。浴槽前床５０は、水の受け皿として機能させるものではなく、浴槽前床５０の部分における壁部６０ｄには、収納棚６４などを配置し、衣類やタオルなどを収納する。尚、浴槽前床５０は、水の受け皿となるものではないため、排水口を設ける必要はないが、床面の洗い流しのために排水口を設けてもよい。
【００１４】
仕切部４は、浴槽１の上縁部１０の４辺のうち、浴槽１に隣接する浴槽前床５０側の一辺に設けられており、壁部６０ａに対向する。仕切部４は、開閉可能な引違い戸である扉４０を有しており、浴槽１と浴槽前床５０とは、間仕切りとして扉４０によって仕切られている。浴室ユニット１００への入り口６３には、引き戸である開閉扉６３ａが設けられ、入り口６３を開閉することができる。尚、開閉扉６３ａは引き戸に限られず、開き戸、引違い戸、折れ戸などであってもよい。
【００１５】
扉４０は、内障子４０ａおよび外障子４０ｂを有している。内障子４０ａおよび外障子４０ｂは、長方形状に組み立てられた戸先框、戸尻框、下框および上框の内側にガラス製または樹脂製等の板を嵌め込んで構成されている。扉４０の内障子４０ａおよび外障子４０ｂは、枠部４２に嵌め込まれており、両障子ともスライドさせることにより開閉することができる。枠部４２は、浴槽１の上縁部１０から天井パネル６１にかけて設けられている。
【００１６】
枠部４２は、浴槽前床５０から見て左右の縦枠、下枠、および上枠を有しており、浴槽１の長手方向に沿う他側に配設されている。枠部４２の左右の縦枠は、壁部６０ｂおよび６０ｃに固定されている。枠部４２の下枠は、浴槽１の上縁部１０上に添うように、左右の縦枠間に設けられている。枠部４２の上枠は、左右の縦枠の上端部に連結されている。
【００１７】
図３は浴室ユニット１００の縦断面図である。図３においてシャワー装置２１、給水装置２２および収納棚６４の記載は省略されている。浴槽１の下側には、排水栓１２に接続された排水部３が設けられている。排水部３は、トラップ部３１、排水管３２およびオーバーフロー配管３３（一部省略）等を備える。浴槽１の下方には浴槽１の湯水が外部に漏れないよう浴槽パン１３が設けられており、排水部３は、浴槽パン１３の内部であって、浴槽１と浴槽パン１３との間の空間に配設されている。
【００１８】
トラップ部３１は、排水栓１２からの排水を排水管３２へ通流させるとともに、内部に水が溜まった状態を保つ。トラップ部３１からの排水は、浴槽パン１３を貫通して外部に延びる排水管３２を通して外部に排出される。浴槽パン１３は、排水管３２が貫通する箇所において漏水しないようにパッキン等で水密に封止されている。オーバーフロー配管３３は、一端部がトラップ部３１に接続されており、他端部が浴槽１に設けられたオーバーフロー栓（図示略）に接続されており、該オーバーフロー栓からの湯水をトラップ部３１へ通流させ、排水管３２を通して排出する。
【００１９】
浴槽１および浴槽１の下側を覆う浴槽パン１３は、架台８１上に載置されて支持される。架台８１は、直方体状のフレーム構造体であり、床面９に載せ置く脚部８１ａを四隅および内側の４か所の計８か所に有する。浴槽１の浴槽前床５０側には、エプロン６５が着脱可能に取り付けられており、エプロン６５を取り外すことで、浴槽１の裏側へのアクセスが可能となり、点検や修理等の保守作業を行うことができる。
【００２０】
図４は、扉４０の中央部における縦断面図である。図４において、紙面の左右方向は見込み方向であり、紙面に垂直な方向は見付け方向である。内障子４０ａは、戸先框および戸尻框の上部に取り付けられた車輪部４１を有している。車輪部４１は、戸先框および戸尻框の上部に固定された本体部４１ａと、本体部４１ａに見込み方向の軸回りに回転可能に支持される車輪４１ｂとを有する。車輪４１ｂは、上枠４３に設けたレール部４３ａに載せられている。
【００２１】
レール部４３ａは、細長い板状をなし、見込み方向に車輪４１ｂが載せられる程度の幅寸法を有し、上枠４３の全長に亘って延びる。内障子４０ａは、レール部４３ａによって支持されており、車輪４１ｂが回転しながらレール部４３ａを走行することによって開閉する。同様に、外障子４０ｂにも車輪部４１が設けられており、外障子４０ｂは、レール部４３ａによって支持されており、車輪４１ｂが回転しながらレール部４３ａを走行することによって開閉する。
【００２２】
内障子４０ａの下框には、下枠４４に案内される被案内板４１ｃを有する。被案内板４１ｃは、見付け方向に垂直な断面が逆さＬ字状をなし、下框の全長に亘って細長く延びる。被案内板４１ｃは、Ｌ字状の水平な一辺側が下框の底部に取り付けられており、鉛直に配設される他辺側が後述する下枠４４の案内溝４６ｃに嵌め込まれる。同様に、外障子４０ｂも被案内板４１ｃを有し、案内溝４６ｃに嵌め込まれる。
【００２３】
下枠４４は、基台部４５、並びに、内障子４０ａおよび外障子４０ｂを案内するガイド部４６を有する。浴槽１の扉４０側の上縁部１０下方には、上縁部１０に沿って延びるフレーム体８１ｂが設けられている。アングル部材８２は、見付け方向の断面がＣ字状をなし、架台８１で荷重が支えられている。またアングル部材８２は、浴槽１の上縁部１０の浴槽前床５０側に配設されており、枠部４２の左右の縦枠間に亘って延びる。
【００２４】
基台部４５は、浴槽１側の一端部が浴槽１の上縁部１０によって支持されており、浴槽前床５０側の他端部がアングル部材８２に固定されている。浴槽１の上縁部１０は、浴槽前床５０側の外縁部分１０ａにおいて、基台部４５の浴槽１側の一端部を支持している。上縁部１０は、内縁部分１０ｂから、基台部４５の浴槽１側の一端部に亘る上面１０ｃが、基台部４５に覆われずに露出している。基台部４５は、上縁部１０の外縁部分１０ａとアングル部材８２とを跨ぐように設けられており、左右の縦枠間に亘って延びる。
【００２５】
基台部４５は、見込み方向における浴槽１の上縁部１０側に形成される座部４５ａ、見込み方向における上縁部１０側の反対側に形成される外縁部４５ｂ、およびガイド部４６を把持する把持部４５ｃを有する。座部４５ａの上面は、平坦状であり、浴槽１側に向うにつれて下降する緩い勾配をもつ。この勾配によって、座部４５ａの上面に降りかかった水は、浴槽１の上縁部１０へ流れ落ちる。外縁部４５ｂは、座部４５ａよりも一段高く形成されており、水が外部に流れ出ないように堰き止める。把持部４５ｃは、座部４５ａと外縁部４５ｂの間に形成されており、上方に開口する凹所をなす。
【００２６】
ガイド部４６は、脚部４６ａ、対向面部４６ｂ、および２箇所の案内溝４６ｃを有する。脚部４６ａは、基台部４５の把持部４５ｃに上方から差し込まれ、把持部４５ｃによって把持されている。ガイド部４６は、脚部４６ａを把持部４５ｃに差し込むことで基台部４５に取り付けられ、脚部４６ａを把持部４５ｃから引き抜くようにして取り外すことができる。
【００２７】
対向面部４６ｂは、内障子４０ａおよび外障子４０ｂの下框の底部に対向するガイド部４６の上面として形成されている。対向面部４６ｂによって形成されるガイド部４６の上面は、平坦状であり、浴槽１側に向うにつれて下降する緩い勾配をもつ。この勾配によって、ガイド部４６の上面に降りかかった水は、浴槽１の上縁部１０へ流れ落ちる。案内溝４６ｃは、内障子４０ａおよび外障子４０ｂの下框に設けた被案内板４１ｃに対応する位置において、対向面部４６ｂを穿つようにして左右の縦枠間に亘って設けられている。案内溝４６ｃの側面部には、水抜き孔（図示略）が設けられている。
【００２８】
案内溝４６ｃの開口部の縁にはパッキン４７が設けられており、内障子４０ａおよび外障子４０ｂの下框に設けた被案内板４１ｃに接触する。パッキン４７は、案内溝４６ｃにおける隙間を塞ぐことで、浴槽１側から浴槽前床５０側へ水が流出することを防ぐ。パッキン４７は、見込み方向に突起して、案内溝４６ｃを部分的に覆うように配設されている。
【００２９】
対向面部４６ｂは、２つの案内溝４６ｃによって３つの部分に隔てられるが、各部分によって形成されるガイド部４６の上面の面積は、案内溝４６ｃの開口面積よりも広い。またパッキン４７が、案内溝４６ｃの開口部の縁から見込み方向に突起するため、案内溝４６ｃの開口面積はより小さくなる。
【００３０】
次に浴室ユニット１００の作用について説明する。図５は、下枠４４部分における機能を説明するための模式図である。図５は、図４に示す扉４０の中央部における縦断面図における下枠４４部分の断面図に相当している。下枠４４の基台部４５は、浴槽１側の一端部が浴槽１の上縁部１０によって支持されており、浴槽前床５０側の他端部がアングル部材８２に固定されて支持されている。このため、枠部４２の下枠４４は、図５に示す実線の矢印のような浴槽前床５０側の他端部が撓む変形を抑制することができる。また、下枠４４を支持するためのアングル部材８２は、浴槽１を載せ置く架台８１に簡単な構成によって固定しておくことができる。
【００３１】
また、下枠４４の基台部４５における浴槽前床５０側の他端部を支持するアングル部材８２は、浴槽１の上縁部１０に沿って左右の縦枠間に亘って設けられているので、下枠４４が見付け方向の中央部において下方に撓む変形を抑制することができる。
【００３２】
下枠４４の基台部４５は、アングル部材８２にねじ等で固定されていれば、浴槽１側の一端部を浴槽１の上縁部１０における外縁部分１０ａにねじや接着剤によって固定せずに単に載せ置くようにしてもよい。下枠４４の浴槽１側の一端部が浴槽１の外縁部分１０ａに載せ置かれることによって、浴槽１側にねじ穴等の固定箇所を設けることなく、また接着剤を塗布せずに下枠４４を取り付けることができる。また、下枠４４の浴槽１側の一端部を浴槽１の外縁部分１０ａに載せ置くことによって、下枠４４に降りかかった水を浴槽１の上縁部１０へ還流させることができる。
【００３３】
また浴槽１の上縁部１０は、浴槽前床５０側の外縁部分１０ａにおいて、基台部４５の浴槽１側の一端部を支持しており、内縁部分１０ｂから、基台部４５の浴槽１側の一端部に亘る上面１０ｃが、基台部４５に覆われずに露出している。図５に示す白抜き矢印のように、上方から上縁部１０の上面１０ｃへの接触が可能となっている。浴槽１の上縁部１０の上面１０ｃは、扉４０の開閉状態の如何に関わらず露出しており、ユーザが手足や肘等の身体の部分を載せ易くなっており、ユーザの利便性が向上する。
【００３４】
また浴槽１の上縁部１０の上面１０ｃには、浴槽１で使用する機能部品を配置することもできる。機能部品として、例えば排水栓１２の開閉を遠隔操作する操作ボタンや、吐水具、吐水具に付随する操作つまみなどを上面１０ｃに配置することができる。
【００３５】
また、下枠４４における対向面部４６ｂは、２つの案内溝４６ｃによって３つの部分に隔てられるが、各部分によって形成されるガイド部４６の上面の面積は、案内溝４６ｃの開口面積よりも広い。このため、扉４０を開状態としたときに、対向面部４６ｂにユーザが手足や肘等の身体の部分を載せ易くなっており、ユーザの利便性が向上する。また、ユーザは、扉４０を開状態としたときに、下枠４４において対向面部４６ｂによって広範囲な面が形成されていることを認識することができ、浴槽１および浴槽前床５０間の移動の際に跨ぎ易いという印象を受け易くなる。
【００３６】
次に、実施形態の浴室ユニット１００の特徴を説明する。
実施形態に係る浴室ユニット１００は、湯を溜める浴槽１と、開閉可能な扉４０および扉４０を嵌める枠部４２を有し、浴槽１と浴槽１に隣接する浴槽前床５０とを仕切る仕切部４と、を備える。枠部４２の下枠４４は、浴槽１側の一端部が浴槽１の上縁部１０によって支持されており、浴槽前床５０側の他端部が、上縁部１０の浴槽前床５０側に設けられた支持部材であるアングル部材８２によって支持されている。これにより、浴室ユニット１００は、枠部４２の下枠４４において浴槽前床５０側の他端部が撓む変形を抑制することができる。
【００３７】
また上縁部１０は、浴槽前床５０側の外縁部分１０ａにおいて下枠４４の一端部を支持しており、内縁部分１０ｂから一端部に亘る上面１０ｃが露出している。これにより、浴室ユニット１００は、浴槽１の上縁部１０の上面１０ｃにユーザが手足や肘等の身体の部分を載せ易くなっており、ユーザの利便性が向上する。
【００３８】
また支持部材であるアングル部材８２は、浴槽１を載せ置く架台８１に固定されている。これにより、浴室ユニット１００は、簡単な構成によって下枠４４を支持するアングル部材８２を架台８１に固定しておくことができる。
【００３９】
（変形例）
図６は、変形例に係る浴室ユニット１００の下枠４４部分における縦断面図である。下枠４４は、左右の縦枠間に亘って形成された基台部７０と、基台部７０から上方へ突出するように設けたシール部７０ａ、およびレール部７０ｂを有する。レール部７０ｂは、板状であり、左右の縦枠間に亘って延びる。図６に示す下枠４４は折れ戸用のものであるが、図４等に示した引違い戸用の下枠等を設けてもよい。
【００４０】
下枠４４の浴槽１側の一端部は、浴槽１の上縁部１０における外縁部分１０ａによって支持されている。浴槽１の上縁部１０は、内縁部分１０ｂから下枠４４の一端部に亘る上面１０ｃが露出している。下枠４４の浴槽前床５０側の他端部は、架台８１と独立して設けられる支持体８３によって支持されている。支持体８３は、床面９に載置されて、上方へ延びる構造体であり、下枠４４を支持する上端部分８３ｂが浴槽１の上縁部１０の浴槽前床５０側に設けられている。
【００４１】
浴槽１を載置する架台８１が図６に示すような脚部を設けた簡易的な構造である場合には、実施形態に示したアングル部材８２を架台８１に固定することが困難となる。浴室ユニット１００は、架台８１と独立して支持体８３を設けることによって、下枠４４の浴槽前床５０側の他端部を支持することができる。
【００４２】
上述の実施形態および変形例においては、扉４０として引違い戸および折れ戸の例を示したが、扉４０は引き戸、開き戸等であってもよい。
【００４３】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４４】
１  浴槽、  １０  上縁部、  ４  仕切部、  ４０  扉、  ４２  枠部、
４４  下枠、  ５０  浴槽前床、  ８１  架台、
８２  アングル部材（支持部材）、  ８３  支持体（支持部材）、
１００  浴室ユニット。
【図１】
2019143414.tif 000003
【図２】
2019143414.tif 000004
【図３】
2019143414.tif 000005
【図４】
2019143414.tif 000006
【図５】
2019143414.tif 000007
【図６】
2019143414.tif 000008